(57)【特許請求の範囲】
【請求項１】
交互に折り畳まれて積層された家庭用薄葉紙が内部に収納され、上面に設けられた取出口を通して内部の家庭用薄葉紙を取り出すことができ、長手方向の長さが１６０〜２５０ｍｍ、短手方向の長さが１００〜１２０ｍｍである家庭用薄葉紙収納箱において、
前記取出口の各々の長手縁部の全体から取出口中央に向けて短手方向に突出する一対の羽部を備え、
前記一対の羽部の自由端部の形状は、各々取出口中央に向けて凸状となるように全体に亘って円弧状になっており、
前記取出口は、その長手方向が当該家庭用薄葉紙収納箱の長手方向と略平行となるように設けられるとともに、当該家庭用薄葉紙収納箱の長手方向の長さに対する前記取出口の長手方向の長さの割合が６０％以上であり、
前記一対の羽部間の最小隙間の幅が５ｍｍ以上であり、
前記羽部の付け根部に折目用線を設けてあることを特徴とする家庭用薄葉紙収納箱。
【請求項２】
請求項１記載の家庭用薄葉紙収納箱において、
前記折目用線は、羽部の付け根部に直線状に設けてあることを特徴とする家庭用薄葉紙収納箱。
【請求項３】
請求項１記載の家庭用薄葉紙収納箱において、
前記折目用線は、羽部の付け根部に取出口の短手方向外側に向けて円弧状に設けてあることを特徴とする家庭用薄葉紙収納箱。
【請求項４】
請求項１〜３の何れか一項に記載の家庭用薄葉紙収納箱において、
前記取出口の前記羽部が占める部分を除く部分を覆う蓋部が設けられ、
前記蓋部には、前記取出口と前記羽部の自由端部の形状に沿って破断用切目線が設けられていることを特徴とする家庭用薄葉紙収納箱。
【請求項５】
請求項４記載の家庭用薄葉紙収納箱において、
前記蓋部は、その長手方向の少なくとも一方に沿って延出する延出部を備え、
前記延出部に、指を挿入可能な指穴が設けられていることを特徴とする家庭用薄葉紙収納箱。
【請求項６】
請求項５記載の家庭用薄葉紙収納箱において、
前記延出部は、前記蓋部の長手方向外側に円弧状に延出することを特徴とする家庭用薄葉紙収納箱。
【発明の詳細な説明】
【０００１】
【発明の属する技術分野】
本発明は、ティシューペーパー等の家庭用薄葉紙を収納する家庭用薄葉紙収納箱に関するものである。
【０００２】
【従来の技術】
従来、家庭用薄葉紙の一つであるティシューペーパーを収納するティシューペーパー収納箱（以下、収納箱という。）には、収納箱の上面にティシューペーパーを取り出すための取出口が設けられている。この取出口には、プラスチック製のフィルムが貼付され、取出口の全体を被覆している。このフィルムの中央部には直線状のスリットが設けられており、中身のティシューペーパーは、このスリットを通して外部へ引き出される。このフィルムとスリットは次のティシューペーパーを所定の位置に保持する役割を果たしている。
【０００３】
しかし、フィルムを貼付するには、手間とコストがかかることに加え、環境上の理由によりフィルムと紙を分別回収する必要があるという問題があった。
そこで、かかる問題を解決するため、収納箱の頂壁の中央部にティシューペーパー取出孔を設ける一方、フィルムを貼付せずにティシューペーパー取出孔の両端部にティシューペーパーの端部を挟み込んで抑止しうるフラップ状の抑止板部を設けた収納箱が提案されている（例えば、特許文献１）。
【０００４】
【特許文献１】
実開昭６３−１４４４９２号公報
【０００５】
【発明が解決しようとする課題】
しかしながら、上記実用新案文献１記載の収納箱の場合、ティシューペーパーの両端部をフラップ状の抑止板部で挟むことによりティッシューペーパーを保持していたため、抑止板部の抑止力や取出口の開口面積に依存され、ティシューペーパーの保持性が安定しないという問題点があった。
【０００６】
本発明の課題は、取出口にフィルムを設けなくとも、家庭用薄葉紙の保持性及び取出性のよい家庭用薄葉紙収納箱を提供することである。
【０００７】
【課題を解決するための手段】
本課題を解決するため、本発明者が鋭意研究を重ねた結果、家庭用薄葉紙の取出口にフィルムを設けなくとも、取出口に突出させた羽部の形状と間隙を調整することにより家庭用薄葉紙を好適に保持しつつ、容易に取り出すことができる家庭用薄葉紙収納箱を開発するに至った。
【０００８】
請求項１記載の発明は、例えば、図１、２、４に示すように、交互に折り畳まれて積層された家庭用薄葉紙（例えば、ティシューペーパー２）が内部に収納され、上面（１ａ）に設けられた取出口（１１）を通して内部の家庭用薄葉紙を取り出すことができ、長手方向の長さ（Ａ）が１６０〜２５０ｍｍ、短手方向の長さ（Ｂ）が１００〜１２０ｍｍである家庭用薄葉紙収納箱（例えば、ティシューペーパー収納箱１）において、
前記取出口の各々の長手縁部（１１ａ）の全体から取出口中央に向けて短手方向に突出する一対の羽部（１３）を備え、
前記一対の羽部の自由端部の形状は、各々取出口中央に向けて凸状となるように全体に亘って円弧状となっており、
前記取出口は、その長手方向が当該家庭用薄葉紙収納箱の長手方向と略平行となるように設けられるとともに、当該家庭用薄葉紙収納箱の長手方向の長さに対する前記取出口の長手方向の長さの割合が６０％以上であり、
前記一対の羽部間の最小隙間の幅が５ｍｍ以上であり、
前記羽部（１３，１３０）の付け根部（１３ｂ，１３０ｂ）に折目用線（１３ｃ，１３０ｃ）を設けてあることを特徴とする。
【０００９】
請求項１記載の発明によれば、家庭用薄葉紙収納箱の長手方向の長さに対する取出口の長手方向の長さの割合が６０％以上であり、取出口の各々の長手縁部の全体から取出口中央に向けて短手方向に突出する一対の羽部の羽部間の最小隙間の幅が５ｍｍ以上とされているので、左右の羽部に家庭用薄葉紙が保持されることとなって、取出口にフィルムを設けなくとも、家庭用薄葉紙の保持性及び取出性のよい家庭用薄葉紙収納箱を提供することができる。
即ち、家庭用薄葉紙は交互に折り畳まれているので、家庭用薄葉紙を取り出す毎に左右の羽部に家庭用薄葉紙が交互に保持されることとなって、家庭用薄葉紙を効果的に保持することができるとともに、一対の羽部の羽部間の最小隙間の幅を５ｍｍ以上とすることで、取出性の向上も図れる。
【００１０】
また、羽部の自由端部が円弧状であるため、羽部に家庭用薄葉紙が引っかかることなくスムーズに取り出すことができる。
さらに、羽部の付け根部に折目用線が設けてあるため、羽部の起立を容易にするとともに、羽部を起立させた場合、羽部の自重による傾倒モーメントと付け根部の剛性による復元モーメントのバランスが取り易く、羽部が起立状態を保ち易くなって、羽部による家庭用薄葉紙の保持性が向上する。
【００１１】
請求項２記載の発明は、請求項１記載の家庭用薄葉紙収納箱において、前記折目用線（１３ｃ）は前記羽部の付け根部（１３ｂ）に直線状に設けてあることを特徴とする。
【００１２】
請求項２記載の発明によれば、羽部の付け根部に直線状の折目用線が設けてあるため、羽部の起立を容易にするとともに、羽部を起立させた場合、羽部の自重による傾倒モーメントと付け根部の剛性による復元モーメントのバランスが取り易く、羽部が起立状態を保ち易くなって、羽部による家庭用薄葉紙の保持性が向上する。
【００１３】
請求項３記載の発明は、請求項１記載の家庭用薄葉紙収納箱において、前記折目用線（１３０ｃ）は、前記羽部（１３０）の付け根部（１３０ｂ）に取出口の短手方向外側に向けて円弧状に設けてあることを特徴とする。
【００１４】
請求項３記載の発明によれば、羽部の付け根部に取出口の短手方向外側に向けて円弧状の折目用線が設けてあるため、羽部を起立させた場合、羽部の自重による傾倒モーメントより付け根部の剛性による復元モーメントが大きくなり、家庭用薄葉紙を取出後、羽部が元の状態に戻り易くなって、次の家庭用薄葉紙が保持され易い。
【００１５】
請求項４記載の発明は、請求項１〜３の何れか一項に記載の家庭用薄葉紙収納箱において、
前記取出口の前記羽部が占める部分を除く部分を覆う蓋部（１２）が設けられ、
前記蓋部には、前記取出口と前記羽部の自由端部の形状に沿って破断用切目線（Ｓ）が設けられていることを特徴とする。
【００１６】
請求項４記載の発明によれば、請求項１〜３の何れか一項に記載の発明と同様の効果が得られることは無論のこと、特に、取出口の前記羽部が占める部分を除く部分を覆う蓋部が設けられ、蓋部には、取出口と前記羽部の自由端部の形状に沿って破断用切目線が設けられているので、使用前は取出口が蓋された状態となることとなって、外部からゴミ等の侵入を防止することができる。
【００１７】
請求項５記載の発明は、請求項４に記載の家庭用薄葉紙収納箱において、
前記蓋部は、その長手方向の少なくとも一方に延出する、幅２０ｍｍ以上の延出部（１４）を備え、
前記延出部に、指を挿入可能な指穴（１５）が設けられていることを特徴とする。
【００１８】
請求項６記載の発明は、請求項５に記載の家庭用薄葉紙収納箱において、
前記延出部は、前記蓋部の長手方向外側に円弧状に延出することを特徴とする。
【００１９】
請求項５又は６記載の発明によれば、請求項４に記載の発明と同様の効果が得られることは無論のこと、特に、蓋部は、延出部に指を挿入可能な指穴が設けられているので、指穴に指を入れて蓋部を破断用切目線に沿って切り取ることができることとなって、蓋部の切り取りが容易となる。
【００２０】
【発明の実施の形態】
以下、図を参照して本発明に係る家庭用薄葉紙収納箱の実施の形態をティシューペーパー収納箱により説明する。
図１は、ティシューペーパー収納箱の構造を示す分解斜視図である。
【００２１】
図１に示すティシューペーパー収納箱（以下、収納箱という。）１は、例えば、長手方向の長さ（Ａ）が１６０〜２５０ｍｍ、短手方向の長さ（Ｂ）が１００〜１２０ｍｍ、高さ（Ｃ）が５０〜１２０ｍｍの略直方体状に形成された収納箱であり、この収納箱１内にティシューペーパー２…が積層されて収納される。
【００２２】
収納箱１は、収納箱１の上面１ａにティシューペーパー２・・・を取り出すための取出口１１が設けられている。通常、最初の使用時に、収納箱１の上面１ａに設けられたループ状の破断用切目線（Ｓ）に沿って収納箱１の一部である蓋部１２を切り取ることにより、取出口１１が露出するようになっている。
取出口１１の対向する二つの長手縁部１１ａ、１１ａには、当該長手縁部の全体から取出口中央に向けて短手方向に突出する一対の羽部１３、１３が形成されている。羽部１３、１３の自由端部１３ａ、１３ａの形状は、各々取出口中央に向けて凸状となるように全体に亘って円弧状となっている。
【００２３】
また、羽部１３の付け根部１３ｂには、直線状の折目用線１３ｃが設けられている。この折目用線１３ｃは、付け根部１３ｂに沿って押圧部材（図示省略）を型押しして形成した線状のくぼみであり、例えば、０．３ｍｍ程度くぼんでいる。
この折目用線１３ｃを設けることにより、羽部１３の起立を容易にするとともに、羽部１３を起立させた場合、羽部１３の自重による傾倒モーメントと付け根部１３ｂの剛性による復元モーメントのバランスが取り易く、羽部１３が起立状態を保ち易くなって、羽部による家庭用薄葉紙の保持性が向上する。
【００２４】
この羽部１３における長手縁部１１ａからの突出長さは、ティシューペーパー２…が羽部１３に保持される程度であればよく、５ｍｍ以上あることが望ましい。また、上限は特に限定されず、ティシューペーパー２…の大きさや収納箱１の短手方向の長さ及び取出口１１の大きさにより適宜決めて良い。
【００２５】
図２に示す一対の羽部１３、１３間の間隙（ａ）は、５ｍｍ以上とする。ここで、間隙（ａ）の下限を５ｍｍとしたのは、これを下回ると、ティシューペーパー２…を取り出す際の取出抵抗値が上昇して片手でスムーズにティシューペーパー２…を取り出すことができないからである。また、上限は特に規定しないが、広すぎるとゴミや埃が収納箱１の内部に侵入し易くなるため、なるべく狭い方が好ましい。
また、取出口１１の短手縁部１１ｂ、１１ｂは円弧状になっている。
【００２６】
蓋部１２は、取出口１１の羽部１３、１３が占める部分を除く部分と同一の形状を有し、羽部１３の長手方向に沿って延出する延出部１４を備えている。この延出部１４には、ループ状の破断用切目線１２ｂが設けられ、この破断用切目線１２ｂの内部に指を当てて力を加えると、破断用切目線１２ｂの内部が収納箱１の内側に折れ曲がり、指を挿入可能な指穴１５が形成されるようになっている。
【００２７】
ここで、延出部１４の幅（Ｄ）は、２０ｍｍ以上とする。２０ｍｍ以上とした理由は、２０ｍｍ程度ないと指穴１５が設けられないからである。
【００２８】
ティシューペーパー２は、その折り畳み軸方向の長さが１００〜２４５ｍｍとなっている。
このティシューペーパー２…は、２枚が１組とされ、１組１組が継続して箱から取り出せるように交互に折り畳まれており、一方の羽部１３に保持されているティシューペーパー１組を外へ引き出したときに、次のティシューペーパー１組が収納箱１の内部から他方の羽部１３に保持される位置まで引き出される折り方となっている。つまり、ティシューペーパー２…は、一組毎取り出す際、各羽部１３に交互に保持される。
【００２９】
次に、取出口１１の大きさは以下のように規定する。
取出口１１の長手方向の長さは収納箱１の長手方向の長さに対して６０％以上となるようにする。下限を６０％と規定したのは、６０％を下回ると、ティシューペーパー２…の折り畳み軸方向の端部と取出口１１の短手縁部１１ｂとの接触抵抗が高くなり過ぎてティシューペーパー２…の取り出し性が悪くなるからである。また、ティシューペーパー２…の取り出し性の観点からは、取出口１１の長手方向の長さは長い方が好ましいため、上限は、家庭用薄葉紙収納箱１の長手方向の長さと同じでよいが、デザイン的な観点からは、８７％程度が望ましい。
【００３０】
【実施例】
以下、本発明の実施例及び比較例について説明する。
［実施例１〜３、比較例１］
（ティシューペーパー収納箱等）
収納箱１の寸法：２５０×１１５×５０ｍｍ、羽部１３の突出長さ：１５〜１６．５ｍｍ、とし、取出口１１の長手方向の長さ（Ｌ）、収納箱１の幅（Ａ）に対する取出口１１の長手方向の長さ（Ｌ）の割合（α）、羽部１３、１３間の最小間隙（ａ）とした場合、取出口の寸法：Ｌ＝１６０ｍｍ、α＝６４％、ａ＝８ｍｍ（実施例１）、Ｌ＝１６０ｍｍ、α＝６４％、ａ＝５ｍｍ（実施例２）、Ｌ＝１５０ｍｍ、α＝６０％、ａ＝５ｍｍ（実施例３）、Ｌ＝１４０ｍｍ、α＝５６％、ａ＝５ｍｍ（比較例１）の試料にて実験を行った。
【００３１】
（ティシューペーパーの寸法等）
寸法：１９７×２２９ｍｍ、坪量：１１．０ｇ／ｍ2、枚数：２００Ｗ、ティシューペーパー収納箱１への充填率：９６％、密度：０．３ｇ／ｃｍ3、ティシューペーパー２…の充填方法：ポップアップ式に折り畳んで積層したティシューペーパー２…の束を充填した。
【００３２】
（取り出し抵抗の測定方法）
電子天秤上に４２７ｇの鉄板を置き、この鉄板にティシューペーパー２…を収納したティシューペーパー収納箱１を接着した。そして、上面よりティシューペーパー２を１枚づつ取り出した。このときの取り出し抵抗（ｇｆ）を電子天秤の値により測定した。測定した結果を表１に示す。
なお、この測定方法において、取り出し抵抗が１００ｇｆ以下であれば、片手で無理なくティシューペーパー２…を取り出すことができるレベルである。
【００３３】
［比較例２］
（ティシューペーパー収納箱等）
比較例２のティシューペーパー収納箱２００の平面図を図３に示す。
図３に示すティシューペーパー収納箱（以下収納箱という。）２００は、羽部２１３が取出口２１１の一方の長手縁部２１１ａから他方の長手縁部２１１ｂにのみ突出して設けられている場合である。羽部２１３の自由端部２１３ａは円弧形状を有している。また、蓋部２１２には、長手方向に延出した延出部２１４が設けられている。
【００３４】
図３に示す収納箱２００の寸法：２５０×１１５×５０ｍｍ、羽部２１３の突出長さ：２０ｍｍとし、取出口２１１の長手方向の長さ（Ｌ）、収納箱２００の長手方向の長さ（Ａ）に対する取出口２１１の長手方向の長さ（Ｌ）の割合（α）、羽部２１３の頂点と他方の長手縁部２１１ｂとの間の取出口２１１における間隙（ａ）とした場合、取出口の寸法：Ｌ＝１６０ｍｍ、α＝６４％、ａ＝１０ｍｍ（比較例２−１）、Ｌ＝１８０ｍｍ、α＝７２％、ａ＝８ｍｍ（比較例２−２）、Ｌ＝１８０ｍｍ、α＝７２％、ａ＝５ｍｍ（比較例２−３）の試料にて実験を行った。
【００３５】
（ティシューペーパーの寸法等）
実施例１〜３、比較例１と同様のティシューペーパーを使用した。
【００３６】
（取り出し抵抗の測定方法）
実施例１〜３、比較例１と同様の方法により測定した。
【表１】
0003670650.tif 000002
【００３７】
［評価］
（取出口と羽部の形状の影響）
表１に示すように、図３に示す羽部２１３が１枚の収納箱２００の場合には、収納箱２００の長手方向の長さ（Ａ）に対する取出口２１１の長手方向の長さ（Ｌ）の割合（α）を７２％としても取り出し抵抗値が１００ｇｆ以上となる（比較例２−２、比較例２−３参照）。これに対し、図１に示す一対の羽部２１３を有する収納箱１の場合には、収納箱１の幅（Ａ）に対する取出口１１の長手方向の長さ（Ｌ）の割合（α）が６０％以上あれば、取り出し抵抗値が１００ｇｆ以下である。
また、収納箱２００では、α＝６４％において、間隔（ａ）を１０ｍｍとした場合であっても、取り出し抵抗値が１００ｇｆを超えるが、収納箱１では、α＝６４％の場合、間隔（ａ）が５ｍｍであれば、取り出し抵抗値が１００ｇｆを下回ることができる。
【００３８】
（取出口の長手方向の長さと間隙幅の影響）
表１に示すように、収納箱１の長手方向の長さ（Ａ）に対する取出口１１の長手方向の長さの割合（α）が６０％を下回ると、１枚目の取り出し抵抗値が１００ｇｆを超えてしまう。
また、収納箱１の長手方向の長さ（Ａ）に対する取出口１１の長手方向の長さの割合（α）が６０％以上で、且つ間隙（ａ）が５ｍｍ以上であれば、取り出し抵抗値が１枚目から１００ｇｆ以下となる。
【００３９】
以上により、収納箱１のように、取出口１１の長手縁部１１ａの両方から、一対の羽部１３を突出させることによって、収納箱２００のように一方の長手縁部２１１ａのみから羽部２１３を比べて、隙間（ａ）を狭くしてもティシューペーパー２の取り出し抵抗値を低くすることができるという結果が得られた。
また、取り出し抵抗値を最初から１００ｇｆ以下にするためには、収納箱１の長手方向の長さ（Ａ）に対する取出口１１の長手方向の長さ（Ｌ）の割合（α）を６０％以上にし、且つ間隙（ａ）を５ｍｍ以上にしなければならないという結果が得られた。
【００４０】
以上説明した本発明に係るティシューペーパー収納箱１によれば、ティシューペーパー収納箱１の長手方向の長さ（Ａ）に対する取出口１１の長手方向の長さ（Ｌ）の割合が６０％以上であり、取出口１１の長手縁部１１ａ、１１ａから取出口１１側に突出する一対の羽部１３の角が面取りされ、羽部１３、１３間の最小隙間（ａ）が５ｍｍ以上とされているので、羽部１３間に挟まれたティシューペーパー２…が羽部１３に適度の保持力によって保持されることとなって、取出口１１にフィルムを設けなくとも、ティシューペーパー２…の保持性及び取出性のよいティシューペーパー収納箱１を提供することができる。
【００４１】
即ち、ティシューペーパー２…は交互に折り畳まれているので、ティシューペーパー２…を取り出す毎に左右の羽部１３、１３にティシューペーパー２…が交互に保持されることとなって、ティシューペーパー２…を効果的に保持することができるとともに、一対の羽部１３、１３間の最小隙間の幅を５ｍｍ以上とすることで、取出性の向上も図れる。
【００４２】
特に、羽部１３、１３の自由端部１３ａ、１３ａの形状が各々取出口中央に向けて凸状となるように全体に亘って円弧状であるため、ティシューペーパー２…を取り出す時に羽部１３にティシューペーパー２・・・が引っかかることなくスムーズに取り出すことができる。
【００４３】
また、取出口１１の羽部１３、１３が占める部分を除く部分を覆う蓋部１２が設けられ、蓋部１２には、取出口１１と羽部１３の自由端部１３ａの形状に沿って破断用切目線（Ｓ）が設けられているので、使用前は取出口１１が蓋された状態となることとなって、外部からゴミ等の侵入を防止することができる。
【００４４】
また、蓋部１２は、一方の長手縁部１１ａ側に、その長手方向に沿って延出する幅２０ｍｍ以上の延出部１４に、指を挿入可能な指穴１５が設けられているので、指穴１５に指を入れて蓋部１２を破断用切目線１２ｂに沿って切り取ることができることとなって、蓋部１２の切り取りが容易となる。
【００４５】
［変形例］
図４は、取出口の変形例を示したティシューペーパー収納箱の平面図である。
なお、図１の収納箱１と同じ部分については同一の符号を付して、説明を省略する。
図４に示すティシューペーパー収納箱（以下、収納箱という。）１００の蓋部１２０に設けられた延出部１４０には、指穴１５０用の破断用切目線１２０ｂが形成されていて、蓋部１２０の切り取りが容易にできるようになっている。
そして、蓋部１２０を破断用切目線Ｓに沿って切り取ることにより、取出口１１０が露出するようになっている。取出口１１０における長手縁部１１０ａの全体からは取出口中央に向けて短手方向に突出する一対の羽部１３０、１３０が設けられている。そして、羽部１３０、１３０の自由端部の形状は、各々取出口中央に向けて凸状となるように全体に亘って円弧状になっており、羽部１３０、１３０間の最小間隙（ａ）は、５ｍｍ以上となっている。また、取出口１１０の長手方向の長さ（Ｌ）は収納箱１００の長手方向の長さ（Ａ）に対して６０％以上となるようにされている。
【００４６】
また、羽部１３０の付け根部１３０ｂには、取出口の短手方向外側に向けて円弧状の折目用線１３０ｃが設けられている。この折目用線１３０ｃは、付け根部１３０ｂに沿って押圧部材（図示省略）を型押しして形成した円弧状のくぼみであり、例えば、０．３ｍｍ程度窪んでいる。
この折目用線１３０ｃを設けることにより、羽部１３０の付け根部１３０ｂに取出口の短手方向外側に向けて円弧状の折目用線１３０ｃが設けてあるため、羽部１３０を起立させた場合、羽部１３０の自重による傾倒モーメントより付け根部１３０ｂの剛性による復元モーメントが大きくなり、ティシューペーパー２・・・を取出後、羽部１３０が元の状態に戻り易くなって、次のティシューペーパー２・・・が保持され易い。
このような形状の取出口１１０であっても、図１に示す収納箱１と同等のティシューペーパーの保持性及び取り出し性を有する。
【００４７】
以上、ティシューペーパーを例にとり説明を行ったが、本発明はこれに限るものではなく、収納する対象が家庭用薄葉紙であれば、ボックス入りトイレットペーパーや、キッチンペーパー、クッキングペーパーなどの収納箱であってもよい。
また、家庭用薄葉紙は、２枚１組に限らず、３枚１組、４枚１組としても良い。
また、羽部１３の形状は、円弧形状のみならず、角が面取りされて丸くなった形状のものであれば、どのような形状のものであってもよい。
【００４８】
請求項１記載の発明によれば、家庭用薄葉紙収納箱の長手方向の長さに対する取出口の長手方向の長さの割合が６０％以上であり、取出口の各々の長手縁部の全体から取出口中央に向けて短手方向に突出する一対の羽部の羽部間の最小隙間の幅が５ｍｍ以上とされているので、左右の羽部に家庭用薄葉紙が保持されることとなって、取出口にフィルムを設けなくとも、家庭用薄葉紙の保持性及び取出性のよい家庭用薄葉紙収納箱を提供することができる。
即ち、家庭用薄葉紙は交互に折り畳まれているので、家庭用薄葉紙を取り出す毎に左右の羽部に家庭用薄葉紙が交互に保持されることとなって、家庭用薄葉紙を効果的に保持することができるとともに、一対の羽部の羽部間の最小隙間の幅を５ｍｍ以上とすることで、取出性の向上も図れる。
【００４９】
また、羽部の自由端部が円弧状であるため、羽部に家庭用薄葉紙が引っかかることなくスムーズに取り出すことができる。
さらに、羽部の付け根部に折目用線が設けてあるため、羽部の起立を容易にするとともに、羽部を起立させた場合、羽部の自重による傾倒モーメントと付け根部の剛性による復元モーメントのバランスが取り易く、羽部が起立状態を保ち易くなって、羽部による家庭用薄葉紙の保持性が向上する。
【００５０】
請求項２記載の発明によれば、羽部の付け根部に直線状の折目用線が設けてあるため、羽部の起立を容易にするとともに、羽部を起立させた場合、羽部の自重による傾倒モーメントと付け根部の剛性による復元モーメントのバランスが取り易く、羽部が起立状態を保ち易くなって、羽部による家庭用薄葉紙の保持性が向上する。
【００５１】
請求項３記載の発明によれば、羽部の付け根部に取出口の短手方向外側に向けて円弧状の折目用線が設けてあるため、羽部を起立させた場合、羽部の自重による傾倒モーメントより付け根部の剛性による復元モーメントが大きくなり、家庭用薄葉紙を取出後、羽部が元の状態に戻り易くなって、次の家庭用薄葉紙が保持され易い。
【００５２】
請求項４記載の発明によれば、請求項１〜３の何れか一項に記載の発明と同様の効果が得られることは無論のこと、特に、取出口の前記羽部が占める部分を除く部分を覆う蓋部が設けられ、蓋部には、取出口と前記羽部の自由端部の形状に沿って破断用切目線が設けられているので、使用前は取出口が蓋された状態となることとなって、外部からゴミ等の侵入を防止することができる。
【００５３】
請求項５又は６記載の発明によれば、請求項４に記載の発明と同様の効果が得られることは無論のこと、特に、蓋部は、延出部に指を挿入可能な指穴が設けられているので、指穴に指を入れて蓋部を破断用切目線に沿って切り取ることができることとなって、蓋部の切り取りが容易となる。
【図面の簡単な説明】
【図１】本発明の一実施形態を示すティシューペーパー収納箱の分解斜視図である。
【図２】図１のティシューペーパー収納箱の上面図である。
【図３】比較例のティシューペーパー収納箱の分解斜視図である。
【図４】本発明の他の実施形態を示すティシューペーパー収納箱の上面図である。
【符号の説明】
１、１００    ティシューペーパー収納箱（家庭用薄葉紙収納箱）
２、２００    ティシューペーパー（家庭用薄葉紙）
１１、１１０    取出口
１２、１２０    蓋部
１３、１３０    羽部
１３ｂ、１３０ｂ    折目用線
１４、１４０    延出部
１５、１５０    指穴
【図１】
0003670650.tif 000003
【図２】
0003670650.tif 000004
【図３】
0003670650.tif 000005
【図４】
0003670650.tif 000006